(57)【要約】【課題】画像形成装置で使用される転写紙のサイズの誤検知を防止し、容易に転写紙のサイズを特定可能にする。【解決手段】画像形成装置１では、挿入検知部１４により給紙トレイ１１の挿入が検知された場合、サイズ検知部１３で検知されたサイズが属するサイズ群が第１の記憶手段１９から抽出され、その抽出されたサイズ群が表示部４に表示される。そして、表示部４に表示されたサイズ群の中から給紙トレイ１１に収容された転写紙のサイズが操作部５の操作により選択され、選択されたサイズが、給紙トレイ１１に収容された転写紙のサイズとして確定され、確定されたサイズ又はそのサイズ群のデータが第２の記憶手段２０に記憶される。【選択図】図５
2006162679.tif 000002
【特許請求の範囲】
【請求項１】
給紙トレイの挿入を検知する挿入検知部と、
前記給紙トレイに収容された転写紙のサイズを検知するサイズ検知部と、
各種サイズの転写紙をサイズ別に分類したサイズ群のデータを記憶する第１の記憶手段と、
前記挿入検知部により給紙トレイの挿入が検知された場合、前記サイズ検知部により検知されたサイズに対応するサイズ群を前記第１の記憶手段から抽出する抽出手段と、
前記抽出手段により抽出されたサイズ群を表示する表示部と、
前記表示部に表示されたサイズ群の中から前記給紙トレイに収容された転写紙のサイズを選択する操作を行う操作部と、
前記操作部の操作により選択されたサイズを、前記給紙トレイに収容された転写紙のサイズとして確定する確定手段と、
前記確定手段により確定されたサイズ又はそのサイズ群のデータを記憶する第２の記憶手段と、
を備えることを特徴とする画像形成装置。
【請求項２】
転写紙補給又は画像形成装置内のジャム発生によって前記挿入検知部により前記給紙トレイの挿入が検知された場合、前記表示部によるサイズ群の表示を行わないことを特徴とする請求項１に記載の画像形成装置。
【請求項３】
前記挿入検知部により給紙トレイの挿入が検知された場合に、前記抽出手段により抽出されたサイズ群と、前記第２の記憶手段に記憶されたサイズ又はサイズ群とを比較することにより、当該給紙トレイを挿入する前後で検知された転写紙のサイズ又はサイズ群が等しいか否かを判定する判定手段を備え、
前記判定手段により、前記給紙トレイを挿入する前後で検知された転写紙のサイズ又はサイズ群が等しいと判定された場合、前記表示部によるサイズ群の表示を行わないことを特徴とする請求項１又は２に記載の画像形成装置。
【請求項４】
手差しトレイへの転写紙のセットを検知する紙セット検知部と、
前記手差しトレイにセットされた転写紙のサイズを検知するサイズ検知部と、
各種サイズの転写紙をサイズ別に分類したサイズ群のデータを記憶する第１の記憶手段と、
前記紙セット検知部により手差しトレイへの転写紙のセットが検知された場合、前記サイズ検知部により検知されたサイズに対応するサイズ群を前記第１の記憶手段から抽出する抽出手段と、
前記抽出手段により抽出されたサイズ群を表示する表示部と、
前記表示部に表示されたサイズ群の中から前記手差しトレイにセットされた転写紙のサイズを選択する操作を行う操作部と、
前記操作部の操作により選択されたサイズを、前記手差しトレイにセットされた転写紙のサイズとして確定する確定手段と、
前記確定手段により確定されたサイズ又はそのサイズ群のデータを記憶する第２の記憶手段と、
を備えることを特徴とする画像形成装置。
【請求項５】
転写紙補給又は画像形成装置内のジャム発生によって前記紙セット検知部により前記手差しトレイへの転写紙のセットが検知された場合、前記表示部によるサイズ群の表示を行わないことを特徴とする請求項４に記載の画像形成装置。
【請求項６】
前記紙セット検知部により手差しトレイへの転写紙のセットが検知された場合に、前記抽出手段により抽出されたサイズ群と、前記第２の記憶手段に記憶されたサイズ又はサイズ群とを比較することにより、当該手差しトレイに転写紙をセットする前後で検知された転写紙のサイズ又はサイズ群が等しいか否かを判定する判定手段を備え、
前記判定手段により、前記手差しトレイに転写紙をセットする前後で検知された転写紙のサイズ又はサイズ群が等しいと判定された場合、前記表示部によるサイズ群の表示を行わないことを特徴とする請求項４又は５に記載の画像形成装置。
【発明の詳細な説明】
【技術分野】
【０００１】
本発明は、複写機、プリンタ等の画像形成装置に関する。
【背景技術】
【０００２】
複写機、プリンタ等の画像形成装置では、給紙トレイ又は手差しトレイに設けられたフォトセンサやボリューム抵抗等の検知手段を用いて、給紙トレイに収容された転写紙又は手差しトレイにセットされた転写紙の大まかなサイズ（搬送方向の長さ、搬送方向に垂直な方向の幅）が検知されている。
【０００３】
画像形成装置では、このような検知手段により得られた転写紙の大まかな長さ情報と、幅情報と、紙系列を指定するために画像形成装置が有する制御的な設定情報の３つの条件から、自動的に転写紙のサイズが特定され、特定されたサイズを表示部に表示し、当該サイズの転写紙に対して印刷が行われていた（例えば、特許文献１及び特許文献２参照。）。ここで、制御的な設定情報とは、例えば、日本向けに設定された装置、北米向けに設定された装置というようなソフトウェア的な仕向け情報や、使用する転写紙のサイズがインチ系列に設定された装置、ＡＢ系列に設定された装置というようなソフトウェア的な紙系列情報である。
【特許文献１】特開２００３−１６７４８２号公報
【特許文献２】特開平６−６４７８０号公報
【発明の開示】
【発明が解決しようとする課題】
【０００４】
従来の画像形成装置では、フォトセンサやボリューム抵抗等の検知手段を用いて得られる転写紙のサイズの判別精度が悪く、サイズが近接したもの同士（例えば、Ａ４Ｒと８．５＊１１Ｒ）は判別ができないため、画像形成装置に設定された仕向け情報等から紙系列を推定し、推定された紙系列に適合するサイズの転写紙が選択されていた。しかしながら、ＡＢ系列やインチ系列等の同系列同士で転写紙のサイズが近接している場合、画像形成装置の仕向け情報のみでは、転写紙のサイズを特定することができず、サイズ特定のために、更に、画像形成装置に関する特別な設定情報が必要であった。更に、ＡＢ系列とインチ系列のサイズが混在している画像形成装置では、転写紙のセットを変更する度に、画像形成装置のＤｉｐＳｗ設定（制御的な設定）を変更する必要があった。この変更作業はかなりの熟練を要し、一般のユーザにとっては使い勝手のよいものではなかった。
【０００５】
本発明の課題は、画像形成装置で使用される転写紙のサイズの誤検知を防止し、容易に転写紙のサイズを特定可能にすることである。
【課題を解決するための手段】
【０００６】
請求項１に記載の発明は、給紙トレイの挿入を検知する挿入検知部と、
前記給紙トレイに収容された転写紙のサイズを検知するサイズ検知部と、
各種サイズの転写紙をサイズ別に分類したサイズ群のデータを記憶する第１の記憶手段と、
前記挿入検知部により給紙トレイの挿入が検知された場合、前記サイズ検知部により検知されたサイズに対応するサイズ群を前記第１の記憶手段から抽出する抽出手段と、
前記抽出手段により抽出されたサイズ群を表示する表示部と、
前記表示部に表示されたサイズ群の中から前記給紙トレイに収容された転写紙のサイズを選択する操作を行う操作部と、
前記操作部の操作により選択されたサイズを、前記給紙トレイに収容された転写紙のサイズとして確定する確定手段と、
前記確定手段により確定されたサイズ又はそのサイズ群のデータを記憶する第２の記憶手段と、を備えることを特徴としている。
【０００７】
請求項２に記載の発明は、請求項１に記載の画像形成装置において、転写紙補給又は画像形成装置内のジャム発生によって前記挿入検知部により前記給紙トレイの挿入が検知された場合、前記表示部によるサイズ群の表示を行わないことを特徴としている。
【０００８】
請求項３に記載の発明は、請求項１又は２に記載の画像形成装置において、前記挿入検知部により給紙トレイの挿入が検知された場合に、前記抽出手段により抽出されたサイズ群と、前記第２の記憶手段に記憶されたサイズ又はサイズ群とを比較することにより、当該給紙トレイを挿入する前後で検知された転写紙のサイズ又はサイズ群が等しいか否かを判定する判定手段を備え、
前記判定手段により、前記給紙トレイを挿入する前後で検知された転写紙のサイズ又はサイズ群が等しいと判定された場合、前記表示部によるサイズ群の表示を行わないことを特徴としている。
【０００９】
請求項４に記載の発明は、手差しトレイへの転写紙のセットを検知する紙セット検知部と、
前記手差しトレイにセットされた転写紙のサイズを検知するサイズ検知部と、
各種サイズの転写紙をサイズ別に分類したサイズ群のデータを記憶する第１の記憶手段と、
前記紙セット検知部により手差しトレイへの転写紙のセットが検知された場合、前記サイズ検知部により検知されたサイズに対応するサイズ群を前記第１の記憶手段から抽出する抽出手段と、
前記抽出手段により抽出されたサイズ群を表示する表示部と、
前記表示部に表示されたサイズ群の中から前記手差しトレイにセットされた転写紙のサイズを選択する操作を行う操作部と、
前記操作部の操作により選択されたサイズを、前記手差しトレイにセットされた転写紙のサイズとして確定する確定手段と、
前記確定手段により確定されたサイズ又はそのサイズ群のデータを記憶する第２の記憶手段と、を備えることを特徴としている。
【００１０】
請求項５に記載の発明は、請求項４に記載の画像形成装置において、転写紙補給又は画像形成装置内のジャム発生によって前記紙セット検知部により前記手差しトレイへの転写紙のセットが検知された場合、前記表示部によるサイズ群の表示を行わないことを特徴としている。
【００１１】
請求項６に記載の発明は、請求項４又は５に記載の画像形成装置において、前記紙セット検知部により手差しトレイへの転写紙のセットが検知された場合に、前記抽出手段により抽出されたサイズ群と、前記第２の記憶手段に記憶されたサイズ又はサイズ群とを比較することにより、当該手差しトレイに転写紙をセットする前後で検知された転写紙のサイズ又はサイズ群が等しいか否かを判定する判定手段を備え、
前記判定手段により、前記手差しトレイに転写紙をセットする前後で検知された転写紙のサイズ又はサイズ群が等しいと判定された場合、前記表示部によるサイズ群の表示を行わないことを特徴としている。
【発明の効果】
【００１２】
請求項１に記載の発明によれば、給紙トレイに収容された転写紙のサイズを検知し、その検知されたサイズに対応するサイズ群の中から転写紙のサイズをユーザに選択させ、その選択されたサイズを当該転写紙のサイズとして確定することにより、転写紙の誤検知が低減され、容易に転写紙のサイズを特定することができる。
【００１３】
請求項２に記載の発明によれば、転写紙補給又は画像形成装置内のジャム発生によって給紙トレイの挿入が検知された場合、表示部に転写紙のサイズ群を表示しないことにより、ユーザに余計な操作をさせることがなくなるとともに、画像形成装置を効率的に動作させることが可能となる。
【００１４】
請求項３に記載の発明によれば、給紙トレイの挿入前後で検知された転写紙のサイズ又はサイズ群が等しい場合、表示部に転写紙のサイズ群を表示しないことにより、ユーザに余計な操作をさせることがなくなり、使い勝手がよくなるとともに、画像形成装置を効率的に動作させることが可能となる。
【００１５】
請求項４に記載の発明によれば、手差しトレイにセットされた転写紙のサイズを検知し、その検知されたサイズに対応するサイズ群の中から転写紙のサイズをユーザに選択させ、その選択されたサイズを当該転写紙のサイズとして確定することにより、転写紙の誤検知が低減され、容易に転写紙のサイズを特定することができる。
【００１６】
請求項５に記載の発明によれば、転写紙補給又は画像形成装置内のジャム発生によって手差しトレイへの転写紙のセットが検知された場合、表示部に転写紙のサイズ群を表示しないことにより、ユーザに余計な操作をさせることがなくなるとともに、画像形成装置を効率的に動作させることが可能となる。
【００１７】
請求項６に記載の発明によれば、手差しトレイへの転写紙のセット前後で検知された転写紙のサイズ又はサイズ群が等しい場合、表示部に転写紙のサイズ群を表示しないことにより、ユーザに余計な操作をさせることがなくなり、使い勝手がよくなるとともに、画像形成装置を効率的に動作させることが可能となる。
【発明を実施するための最良の形態】
【００１８】
以下、図面を参照して、本発明の実施形態を詳細に説明する。
まず、本実施形態における構成について説明する。
【００１９】
図１に、本発明の実施形態に係る画像形成装置１の断面図を示す。画像形成装置１は、図１に示すように、給紙部２、画像読取部７、画像形成部９、定着部１０を備える。
【００２０】
給紙部２は、様々なサイズの転写紙Ｐを給紙する給紙トレイ１１、ユーザが手動で転写紙Ｐを供給するための手差しトレイ１２により構成される。なお、給紙部２が有する給紙トレイ１１の数は特に限定されない。
【００２１】
図２に、給紙トレイ１１の模式図を示す。給紙トレイ１１は、転写紙Ｐの搬送方向に垂直な方向の幅を検知するための紙サイズボリューム（ＶＲ）１３１と、転写紙Ｐの搬送方向の長さを検知するための紙サイズフォトセンサ１３２、１３３と、給紙トレイ１１が挿入されたことを検知するための挿入検知部１４を備える。
【００２２】
紙サイズボリューム１３１は、転写紙Ｐの側面を規整する一対のサイド規整板の移動量を回転角度に変換し、回転角度に応じた電圧を出力する。紙サイズフォトセンサ１３２、１３３は、フォトセンサ（反射型又は透過型）とアクチュエータにより構成され、転写紙Ｐの有無を示す信号（紙あり：Ｈ、紙なし：Ｌ）を出力する。
【００２３】
なお、給紙トレイ１１に収容された転写紙Ｐのサイズを検知する手段は、図２（ａ）に示した手段に限定されず、様々な手段を適用することが可能である。例えば、給紙トレイ１１のサイド側にフォトセンサ、後端側にボリューム（ＶＲ）を用いる手段、サイド側と後端側の双方にボリューム（ＶＲ）を用いる手段、サイド側と後端側の双方にフォトセンサを用いる手段、サイド規整板と後端規整板の移動やセット位置に応じて変動する機械的なスイッチを用いる手段等を適用することが可能である。
【００２４】
挿入検知部１４は、画像形成装置１の本体側に設置され、給紙トレイ１１の挿入を検知し、検知結果を出力する。挿入検知部１４において適用される検知方式として、フォトセンサを用いる方式、スイッチを用いる方式、束線を用いる方式等がある。
【００２５】
フォトセンサを用いる方式では、画像形成装置１の本体側にフォトセンサ（反射型又は透過型）を配置し、給紙トレイ１１側に反射板（反射型フォトセンサの場合）又は遮光板（透過型フォトセンサの場合）を配置し、給紙トレイ１１の挿入時と非挿入時の信号差によって給紙トレイ１１の挿入を検知する。
【００２６】
スイッチを用いる方式では、画像形成装置１の本体側に、プッシュスイッチやリードスイッチを配置し、給紙トレイ１１側にスイッチ押圧部材等を配置する。
【００２７】
束線を用いる方式では、図３に示すように、画像形成装置１の本体側と給紙トレイ１１側にそれぞれコネクタ（電気接点部）を設け、画像形成装置１の本体側には、電圧を検知する電圧検知部を設けている。給紙トレイ１１が挿入されていない場合、即ち、双方のコネクタが離れている場合（図３（ａ））、電圧検知部はＧＮＤ電位を検知する。一方、給紙トレイ１１が挿入されている場合、即ち、双方のコネクタが接触している場合（図３（ｂ））、電圧検知部は、コネクタの接触により所定の電位（例えば、５Ｖ）を検知する。
【００２８】
図４に、手差しトレイ１２の模式図を示す。手差しトレイ１２は、転写紙Ｐの搬送方向に垂直な方向の幅を検知するための紙サイズボリューム（ＶＲ）１５１と、転写紙Ｐの搬送方向の長さを検知するための紙サイズフォトセンサ１５２、１５３と、転写紙Ｐが手差しトレイ１２にセットされたことを検知するための紙セット検知部１６を備える。
【００２９】
紙サイズボリューム１５１は、転写紙Ｐの側面を規整する一対のサイド規整板の移動量を回転角度に変換し、回転角度に応じた電圧を出力する。紙サイズフォトセンサ１５２、１５３は、フォトセンサ（反射型又は透過型）とアクチュエータにより構成され、転写紙Ｐの有無を示す信号（紙あり：Ｈ、紙なし：Ｌ）を出力する。紙セット検知部１６は、例えば、フォトセンサ（反射型又は透過型）により構成され、転写紙Ｐの有無を示す信号（紙あり：Ｈ、紙なし：Ｌ）を出力する。
【００３０】
図１に戻り、画像読取部７は、自動原稿送り装置７１及び原稿画像走査露光装置７２を備える。自動原稿送り装置７１は、原稿トレイＴ１に載置された原稿Ｏを搬送機構により搬送して原稿画像走査露光装置７２の方へ送り出す。原稿画像走査露光装置７２では、搬送された原稿Ｏ（又は原稿台７３に載置された原稿Ｏ）を走査するように走査部７４（光源７４Ａ）が移動され、原稿Ｏに光源７４Ａからの光を照射し、その反射光をＣＣＤ（Charge-Coupled Device）７５により電気信号（アナログ信号）に変換し、Ａ／Ｄ変換器によりこのアナログ信号をデジタル信号に変換することによって、デジタル画像信号（以下、画像データと呼ぶ。）を取得する。
【００３１】
画像形成部９は、感光体ドラム９１と、感光体ドラム９１の周面上に残ったトナーをクリーニングするクリーナ９２と、感光体ドラム９１を帯電させる帯電部９３と、ポリゴンミラーによりレーザビームを感光体ドラム９１上に走査して静電潜像を形成する露光部９４と、感光体ドラム９１上にトナーを付着させる現像部９５と、転写手段及び分離手段を有する転写部９６を備えて構成される。
【００３２】
定着部１０は、給紙部２から搬送された転写紙Ｐに対し、熱定着処理を実行することにより、トナー画像を転写紙Ｐに定着させる。
【００３３】
図５に、画像形成装置１の制御系における主要部構成を示す。画像形成装置１は、図５に示すように、給紙部２、制御部３、表示部４、操作部５、電源部６、画像読取部７、画像処理部８、画像形成部９、定着部１０により構成される。画像読取部７、画像形成部９及び定着部１０については、図１〜図４において説明済みであるため、ここでの説明は省略する。
【００３４】
給紙部２の給紙トレイ１１は、サイズ検知部１３と挿入検知部１４により構成される。また、給紙部２の手差しトレイ１２は、サイズ検知部１５と紙セット検知部１６により構成される。図６に、サイズ検知部１３及びサイズ検知部１５の内部構成を示す。
【００３５】
サイズ検知部１３は、図２に示す紙サイズボリューム１３１、紙サイズフォトセンサ１３２、１３３と、紙サイズボリューム１３１から出力された電圧値（アナログ信号）をデジタル信号に変換するＡ／Ｄ変換器１３４から構成される。
【００３６】
サイズ検知部１５は、図４に示す紙サイズボリューム１５１、紙サイズフォトセンサ１５２、１５３と、紙サイズボリューム１５１から出力された電圧値（アナログ信号）をデジタル信号に変換するＡ／Ｄ変換器１５４から構成される。
【００３７】
図５に戻り、制御部３は、ＣＰＵ（Central Processing Unit）、ＲＯＭ（Read Only Memory）、ＲＡＭ（Random Access Memory）等を備え、ＲＯＭに記憶された各種制御プログラムに従って画像形成装置１を構成する各部の動作を制御する。また、制御部３は、図５に示すように、検知制御部１７、記憶手段１８を備える。
【００３８】
検知制御部１７は、給紙トレイ１１が有する挿入検知部１４から給紙トレイ１１の挿入を検知する信号が入力され、サイズ検知部１３から給紙トレイ１１に収容された転写紙Ｐのサイズを検知する信号が入力されると、その検知されたサイズが属するサイズ群を第１の記憶手段１９から抽出し、抽出されたサイズ群の表示を表示部４に指示する。操作部５により、表示部４に表示されたサイズ群の中からサイズが選択されると、検知制御部１７は、その選択されたサイズを、給紙トレイ１１に収容された転写紙Ｐのサイズとして確定し、その確定されたサイズ又はそのサイズ群のデータを第２の記憶手段２０に記憶させる。
【００３９】
また、検知制御部１７は、手差しトレイ１２が有する紙セット検知部１６から手差しトレイ１２への転写紙Ｐのセットを検知する信号が入力され、サイズ検知部１５から手差しトレイ１２にセットされた転写紙Ｐのサイズを検知する信号が入力されると、その検知されたサイズが属するサイズ群を第１の記憶手段１９から抽出し、抽出されたサイズ群の表示を表示部４に指示する。操作部５により、表示部４に表示されたサイズ群の中からサイズが選択されると、検知制御部１７は、その選択されたサイズを、手差しトレイ１２にセットされた転写紙Ｐのサイズとして確定し、その確定されたサイズ又はそのサイズ群のデータを第２の記憶手段２０に記憶させる。
【００４０】
なお、転写紙の補給又はジャム発生が起因で給紙トレイ１１の挿入又は手差しトレイ１２への転写紙のセットが検知された場合、検知制御部１７は、表示部４へのサイズ群の表示を指示しない。
【００４１】
記憶手段１８は、第１の記憶手段１９と第２の記憶手段２０により構成される。
第１の記憶手段１９は、各種サイズの転写紙をサイズ別に分類したサイズ群のデータを記憶する。図７に、第１の記憶手段１９に記憶されたデータの一例として、給紙トレイ１１に対応するサイズ群データの構成を示す。このサイズ群データは、図７に示すように、転写紙のサイズ毎に、サイズ名、紙幅(mm)×搬送方向(mm)、紙サイズボリューム（度）、フォトセンサShort、フォトセンサLong、サイズ群、表示部に表示されるサイズの各項目のデータを対応付けて記憶する。
【００４２】
図７のサイズ群データにおいて「紙サイズボリューム（度）」項目は、紙サイズボリューム１３１によるサイズ規整板の移動量（度）のデータを記憶し、「フォトセンサShort」項目は、紙サイズフォトセンサ１３２により出力されたデータ（紙あり：Ｈ、紙なし：Ｌ）を記憶し、「フォトセンサLong」項目は、紙サイズフォトセンサ１３３により出力されたデータ（紙あり：Ｈ、紙なし：Ｌ）を記憶する。また、「サイズ群」項目は、対応するサイズが属するサイズ群のデータを記憶する。例えば、サイズ名が１２＊１８−Ｒの転写紙とＡ３−Ｒの転写紙は、「フォトセンサLong」項目及び「フォトセンサShort」項目に設定されたデータは同一で、「紙サイズボリューム（度）」項目に設定されたデータが異なっているが、両サイズは、紙サイズボリューム１３１の検知精度の影響で異なるサイズであることが認識されないため、同一のサイズ群Ａに属することになる。他のサイズについても、同様な方法でサイズ群が設定される。なお、手差しトレイ１２に対応するサイズ群データも、図７と同様のデータ構成を有する。
【００４３】
第２の記憶手段２０は、検知制御部１７により確定された、給紙トレイ１１に収容された転写紙のサイズ又はそのサイズ群のデータを記憶する。また、第２の記憶手段２０は、検知制御部１７により確定された、手差しトレイ１２にセットされた転写紙のサイズ又はそのサイズ群のデータを記憶する。なお、第１の記憶手段１９及び第２の記憶手段２０は、それぞれ、同一のメモリの異なる記憶領域であってもよいし、異なるメモリであってもよい。
【００４４】
表示部４は、ＬＣＤ（Liquid Crystal Display）等の表示画面を備え、制御部３から入力された表示制御信号に従って、所要の表示処理を行う。
【００４５】
操作部５は、コピースタートキー、テンキー等の各種キーを備え、これらのキーの操作信号を制御部３に出力する。また、操作部５は、表示部４の表示画面を覆うように設けられたタッチパネルを有し、電磁誘導式、磁気歪式、感圧式等の座標読み取り原理でタッチ指示された座標を検出し、検出した座標を位置信号として制御部３に出力する。
【００４６】
電源部６は、画像形成装置１を構成する各部に電力を供給する。
画像処理部８は、制御部３から入力される制御信号に従って、画像読取部７での読み取りによって得られた画像データに対し、拡大、縮小、回転等の各種の画像処理を施す。
【００４７】
次に、本実施形態における動作について説明する。
図８のフローチャートを参照して、画像形成装置１において実行される紙サイズ特定処理について説明する。
【００４８】
まず、画像形成装置１の電源が投入されると（ステップＳ１）、画像形成装置１を構成する各部のイニシャライズ（初期化）が行われ（ステップＳ２）、表示部４に、イニシャライズ画面（初期画面）が表示される（ステップＤ１）。
【００４９】
次いで、第２の記憶手段２０に記憶されたデータから、各給紙トレイ１１に収容された転写紙のサイズ及び手差しトレイ１２にセットされた転写紙のサイズが確定され（ステップＳ３）、表示部４に、図９に示すような基本画面が表示され、その基本画面上に、その確定された各トレイの転写紙のサイズが表示される（ステップＤ２）。図９の基本画面では、給紙トレイ１１の１番目のトレイ（トレイ１）にＢ４、２番目のトレイ（トレイ２）にＡ３の転写紙が収容されていることを示している。
【００５０】
各給紙トレイ１１及び手差しトレイ１２の転写紙のサイズが確定されると、操作部５や外部からのデータ入力が受付可能なアイドリング状態となる（ステップＳ４）。アイドリング状態に移行した後、給紙トレイ１１の挿入又は手差しトレイ１２への転写紙のセットが検知されると（ステップＳ５；ＹＥＳ）、給紙トレイ１１に収容された転写紙のサイズ又は手差しトレイ１２にセットされた転写紙のサイズが検知され（ステップＳ６）、第１の記憶手段１９に記憶されたサイズ群データから、ステップＳ６で検知されたサイズが属するサイズ群が抽出される（ステップＳ７）。
【００５１】
次いで、ステップＳ７で抽出されたサイズ群がサイズ選択画面として表示部４に表示され（ステップＤ３）、ユーザに対し、ステップＳ５において給紙トレイ１１に収納された転写紙又は手差しトレイ１２にセットされた転写紙のサイズの選択が促される。図１０に、サイズ選択画面の一例を示す。図１０では、図７に示すサイズ群データからサイズ群Ｅが抽出された場合を示し、サイズ群Ｅのうち、Ａ４Ｒサイズの転写紙が選択されたことを示している。
【００５２】
なお、転写紙の補給又はジャム発生が起因で給紙トレイ１１の挿入又は手差しトレイ１２への転写紙のセットが検知された場合、表示部４に、抽出されたサイズ群は表示されない。
【００５３】
図１０のサイズ選択画面においてサイズが選択され、「ＯＫ」ボタンが指定されると（ステップＤ４；ＹＥＳ）、表示部４が基本画面（図９）に切り替わるとともに（ステップＤ５）、その選択されたサイズが、給紙トレイ１１に収容された転写紙のサイズ又は手差しトレイ１２にセットされた転写紙のサイズとして確定される（ステップＳ８）。そして、ステップＳ８で確定されたサイズ又はサイズ群のデータが第２の記憶手段２０に記憶され（ステップＳ９）、本紙サイズ特定処理が終了する。
【００５４】
〈変形例〉
次に、図１１のフローチャートを参照して、図８に示した紙サイズ特定処理の変形例について説明する。図１１では、給紙トレイ１１の挿入前後又は手差しトレイ１２への転写紙のセット前後で検知された転写紙のサイズが等しい場合は、表示部４でのサイズ群の表示を行わない例を示す。
【００５５】
まず、画像形成装置１の電源が投入されると（ステップＳ１１）、画像形成装置１を構成する各部のイニシャライズ（初期化）が行われ（ステップＳ１２）、表示部４に、イニシャライズ画面（初期画面）が表示される（ステップＤ１１）。
【００５６】
次いで、第２の記憶手段２０に記憶されたデータから、各給紙トレイ１１に収容された転写紙のサイズ及び手差しトレイ１２にセットされた転写紙のサイズが確定され（ステップＳ１３）、表示部４に、図９に示すような基本画面が表示され、その基本画面上に、その確定された各トレイの転写紙のサイズが表示される（ステップＤ１２）。以下では、ステップＳ１３で確定されたサイズが属するサイズ群をサイズ群Ｅとする。
【００５７】
各トレイの転写紙のサイズが確定されると、操作部５や外部からのデータ入力が受付可能なアイドリング状態となる（ステップＳ１４）。アイドリング状態に移行した後、給紙トレイ１１の挿入又は手差しトレイ１２への転写紙のセットが検知されると（ステップＳ１５；ＹＥＳ）、給紙トレイ１１に収容された転写紙のサイズ又は手差しトレイ１２にセットされた転写紙のサイズが検知され（ステップＳ１６）、第１の記憶手段１９に記憶されたサイズ群データから、ステップＳ１６で検知されたサイズが属するサイズ群が抽出される（ステップＳ１７）。
【００５８】
次いで、ステップＳ１７で抽出されたサイズ群と、ステップＳ１３で確定されたサイズ群Ｅが同一であるか否かが判定される（ステップＳ１８）。ステップＳ１８において、ステップＳ１７で抽出されたサイズ群がサイズ群Ｅと同一であると判定された場合（ステップＳ１８；ＹＥＳ）、表示部４へのサイズ群の表示指示が行われず、サイズ群Ｅを示すデータが第２の記憶手段２０に記憶され（ステップＳ１９）、本紙サイズ特定処理が終了する。
【００５９】
ステップＳ１８において、ステップＳ１７で抽出されたサイズ群がサイズ群Ｅと異なると判定された場合（ステップＳ１８；ＮＯ）、ステップＳ１７で抽出されたサイズ群がサイズ選択画面（図１０）として表示部４に表示され（ステップＤ１３）、ユーザに対し、ステップＳ１５において給紙トレイ１１に収納された転写紙又は手差しトレイ１２にセットされた転写紙のサイズの選択が促される。
【００６０】
なお、転写紙の補給又はジャム発生が起因で給紙トレイ１１の挿入又は手差しトレイ１２への転写紙のセットが検知された場合、表示部４に、抽出されたサイズ群は表示されない。
【００６１】
図１０のサイズ選択画面においてサイズが選択され、「ＯＫ」ボタンが指定されると（ステップＤ１４；ＹＥＳ）、表示部４が基本画面（図９）に切り替わるとともに（ステップＤ１５）、その選択されたサイズが、給紙トレイ１１に収容された転写紙のサイズ又は手差しトレイ１２にセットされた転写紙のサイズとして確定される（ステップＳ２０）。そして、ステップＳ２０で確定されたサイズ又はサイズ群のデータが第２の記憶手段２０に記憶され（ステップＳ２１）、本紙サイズ特定処理が終了する。
【００６２】
以上のように、本実施形態の画像形成装置１によれば、給紙トレイ１１に収容された転写紙又は手差しトレイ１２にセットされた転写紙のサイズを検知し、その検知されたサイズに対応するサイズ群の中から転写紙のサイズをユーザに選択させ、その選択されたサイズを、給紙トレイ１１に収容された転写紙又は手差しトレイ１２にセットされた転写紙のサイズとして確定することにより、転写紙の誤検知が低減され、容易に転写紙のサイズを特定することができる。
【００６３】
また、転写紙補給又は画像形成装置１内のジャム発生によって給紙トレイ１１の挿入又は手差しトレイ１２への転写紙のセットが検知された場合、表示部に転写紙のサイズ群を表示しないことにより、ユーザに余計な操作をさせることがなくなるとともに、画像形成装置１を効率的に動作させることが可能となる。
【００６４】
更に、図１１の変形例に示したように、給紙トレイの挿入前後又は手差しトレイへの転写紙のセット前後で検知された転写紙のサイズ又はサイズ群が等しい場合も、表示部に転写紙のサイズ群を表示しないことにより、ユーザに余計な操作をさせることがなくなるとともに、画像形成装置１を効率的に動作させることが可能となる。
【図面の簡単な説明】
【００６５】
【図１】本発明の実施形態に係る画像形成装置の断面図。
【図２】本実施形態に係る画像形成装置の給紙トレイの模式図。
【図３】給紙トレイの挿入検知部の一例を示す図。
【図４】本実施形態に係る画像形成装置の手差しトレイの模式図。
【図５】本実施形態に係る画像形成装置の制御系の主要部構成を示すブロック図。
【図６】給紙トレイにおけるサイズ検知部及び手差しトレイにおけるサイズ検知部の内部構成を示すブロック図。
【図７】第１の記憶手段に記憶される転写紙のサイズ群データの構成を示す図。
【図８】本実施形態の画像形成装置において実行される紙サイズ特定処理を示すフローチャート。
【図９】表示部に表示される基本画面の一例を示す図。
【図１０】表示部に表示されるサイズ選択画面の一例を示す図。
【図１１】図８の紙サイズ特定処理の変形例を示すフローチャート。
【符号の説明】
【００６６】
１  画像形成装置
２  給紙部
３  制御部
４  表示部
５  操作部
６  電源部
７  画像読取部
８  画像処理部
９  画像形成部
１０  定着部
１１  給紙トレイ
１２  手差しトレイ
１３、１５  サイズ検知部
１４  挿入検知部
１６  紙セット検知部
１７  検知制御部（抽出手段、確定手段、判定手段）
１８  記憶手段
１９  第１の記憶手段
２０  第２の記憶手段
【図１】
2006162679.tif 000003
【図２】
2006162679.tif 000004
【図３】
2006162679.tif 000005
【図４】
2006162679.tif 000006
【図５】
2006162679.tif 000007
【図６】
2006162679.tif 000008
【図７】
2006162679.tif 000009
【図８】
2006162679.tif 000010
【図９】
2006162679.tif 000011
【図１０】
2006162679.tif 000012
【図１１】
2006162679.tif 000013